(57)【要約】【課題】室内環境の悪化を抑制でき、換気送風動力及び暖冷房負荷の低減が可能で、送風装置本体内に設けた清浄手段のメンテナンスを容易に行うことのできる送風装置及びこの送風装置を備えた居室を提供する。【解決手段】設置面と照明器４０との間に設けられ、空気取入口８及び空気吐出口９が形成された送風装置本体３と、空気取入口８と空気吐出口９との間に形成される内部風路に設けられた複数の送風手段１１と、内部風路１０に設けられ、空気取入口８から取り入れられた空気を清浄化する浄化手段を有する空気清浄ユニット２０とを備え、送風手段１１は、一台又は複数台ずつ複数の送風単位に分けられ、送風単位毎に運転及び停止が切替可能であり、空気清浄ユニット２０は、送風装置本体３から設置面と平行な方向に引き出し自在に送風装置本体３に支持されている。【選択図】図３
2014152975.tif 000002
【特許請求の範囲】
【請求項１】
設置面と照明器との間に設けられ、空気取入口及び空気吐出口が形成された送風装置本体と、
前記空気取入口と前記空気吐出口との間に形成される内部風路に設けられた複数の送風手段と、
前記内部風路に設けられ、前記空気取入口から取り入れられた空気を清浄化する浄化手段を有する空気清浄ユニットと
を備え、
前記複数の送風手段は、一台又は複数台ずつ複数の送風単位に分けられ、前記送風単位毎に運転及び停止が切替可能であり、
前記空気清浄ユニットは、前記送風装置本体から前記設置面と平行な方向に引き出し自在に前記送風装置本体に支持されている
ことを特徴とする送風装置。
【請求項２】
前記空気清浄ユニット及び前記送風装置本体は、前記空気清浄ユニットを前記設置面と平行な方向に回転自在に前記送風装置本体に連結する連結手段を有する
ことを特徴とする請求項１記載の送風装置。
【請求項３】
前記空気清浄ユニット及び前記送風装置本体は、前記空気清浄ユニットが前記送風装置本体に収納された状態で互いに係合して固定する係合手段を有する
ことを特徴とする請求項１又は請求項２記載の送風装置。
【請求項４】
前記空気清浄ユニットは、前記空気清浄ユニットを前記送風装置本体内に収納した状態で前記送風装置本体外から指を引掛けられる引掛部を有する
ことを特徴とする請求項１〜請求項３の何れか一項に記載の送風装置。
【請求項５】
前記浄化手段は、前記空気取入口から取り入れられた空気に含まれる埃を捕集する埃捕集手段である
ことを特徴とする請求項１〜請求項４の何れか一項に記載の送風装置。
【請求項６】
前記浄化手段は、前記空気取入口から取り入れられた空気に含まれる浮遊微粒子を捕集する空気清浄手段である
ことを特徴とする請求項１〜請求項４の何れか一項に記載の送風装置。
【請求項７】
前記浄化手段は、空気の除菌を行う除菌手段である
ことを特徴とする請求項１〜請求項４の何れか一項に記載の送風装置。
【請求項８】
前記浄化手段は、オゾン除去と揮発性有機化合物の捕集とを行うオゾンＶＯＣ除去手段である
ことを特徴とする請求項１〜請求項４の何れか一項に記載の送風装置。
【請求項９】
前記浄化手段は、
前記空気取入口から取り入れられた空気に含まれる埃を捕集する埃捕集手段と、
前記空気取入口から取り入れられた空気に含まれる浮遊微粒子を捕集する空気清浄手段と、
空気の除菌を行う除菌手段と、
オゾン除去と揮発性有機化合物の捕集とを行うオゾンＶＯＣ除去手段と
のうちの複数を備えている
ことを特徴とする請求項１〜請求項４の何れか一項に記載の送風装置。
【請求項１０】
前記浄化手段は、
前記空気取入口から取り入れられた空気に含まれる埃を捕集する埃捕集手段と、
前記空気取入口から取り入れられた空気に含まれる浮遊微粒子を捕集する空気清浄手段と、
空気の除菌を行う除菌手段と、
オゾン除去と揮発性有機化合物の捕集とを行うオゾンＶＯＣ除去手段と
を備えており、
前記空気取入口から取り入れられる空気の上流側から順に、前記埃捕集手段、前記空気清浄手段、前記除菌手段及びオゾンＶＯＣ除去手段が配置されている
ことを特徴とする請求項１〜請求項４の何れか一項に記載の送風装置。
【請求項１１】
前記空気清浄ユニットは、外部から着脱自在な外枠を有し、
前記埃捕集手段は、その捕集面が外部に露出するように前記外枠に固定されている
ことを特徴とする請求項５又は請求項１０記載の送風装置。
【請求項１２】
前記空気清浄ユニットは、外部から着脱可能な外枠を有し、
前記空気清浄手段は、前記外枠に設けられた収納部に着脱自在に収納されている
ことを特徴とする請求項６又は請求項１０記載の送風装置。
【請求項１３】
前記除菌手段は、除菌面を有する部分が前記空気清浄ユニットの内部に着脱自在に保持されている
ことを特徴とする請求項７又は請求項１０記載の送風装置。
【請求項１４】
前記除菌手段の前記除菌面を有する部分が、前記送風装置本体から前記設置面と平行な方向に引き出し自在に前記空気清浄ユニットに収納されている
ことを特徴とする請求項１３記載の送風装置。
【請求項１５】
前記除菌手段は、その除菌面が前記空気清浄ユニットの厚み方向に対して傾斜するように前記空気清浄ユニットに配置されている
ことを特徴とする請求項７、請求項１０、請求項１３及び請求項１４の何れか一項に記載の送風装置。
【請求項１６】
前記除菌手段は、放電、電界空間発生装置である
ことを特徴とする請求項７、請求項１０、請求項１３〜請求項１５の何れか一項に記載の送風装置。
【請求項１７】
前記除菌手段は、電源部及び電極部を有する放電、電界空間発生装置であり、除菌面が前記電極部により構成されている
ことを特徴とする請求項７、請求項１０、請求項１３〜請求項１５の何れか一項に記載の送風装置。
【請求項１８】
前記除菌手段は取手部を有し、前記空気清浄ユニットの筐体において前記照明器側の面には前記取手部と対向して切欠きが設けられており、前記切欠きは、前記筐体外から前記切欠きを介して前記取手部を掴むことが可能な大きさに形成されている
ことを特徴とする請求項７、請求項１０、請求項１３〜請求項１７の何れか一項に記載の送風装置。
【請求項１９】
前記オゾンＶＯＣ除去手段は、前記空気清浄ユニットに着脱自在に収納されている
ことを特徴とする請求項８又は請求項１０記載の送風装置。
【請求項２０】
前記空気清浄ユニットの筐体は、前記オゾンＶＯＣ除去手段の一部を前記筐体外に露出する切欠きを有する
ことを特徴とする請求項８、請求項１０及び請求項１９の何れか一項に記載の送風装置。
【請求項２１】
請求項１〜請求項２０の何れか一項に記載の送風装置を備えた
ことを特徴とする居室。
【発明の詳細な説明】
【技術分野】
【０００１】
本発明は、送風装置及びこの送風装置を備えた居室に関する。
【背景技術】
【０００２】
近年、住宅の省エネルギー、快適性の向上を背景とした高気密、高断熱化により住宅からの排気と住宅内への給気を適切に行う全般換気設備が必須となっている。全般換気の目的は、建物内の室内環境を適切に維持するため、絶えず必要な換気量を確保し、室内で発生する揮発性有機化合物に代表される汚染物質の濃度を適正な水準以下に維持することによるシックハウス対策にある。
【０００３】
このような全般換気に関し、毎時０．５回以上の換気（住宅からの排気と住宅内への給気）を、常時（２４時間）機械力で機能させることが建築基準法に定められている。また一方で、全般換気を行う換気装置は２４時間常時機能するため、換気によって生ずる動力エネルギー及び暖冷房エネルギーの低減も求められている。
【０００４】
冬季においては室内外温度差により住宅の隙間を通じて自然換気量が増加する。このため、全般換気の省エネルギー手法として、自然換気増加分を見越し、全般換気に伴う動力を低減する手法も法に適合する手法として認められている。具体的には、全般換気量を例えば、０．５回／時から０．３回／時に低減する処置や、室内の揮発性有機化合物を吸着又は除去して室内濃度を低下させて有効換気換算量を確保して、所定量の全般換気量を低減させる処置が該当する。これらの処置によれば、法的に定められた０．５回／時の機械換気設備による全般換気量を低減することができ、全般換気に伴う動力、暖冷房負荷を低減して省エネを推進することができる。
【０００５】
上述の全般換気によって室内の汚染物質の濃度を適正な水準以下に維持するには、住宅内の空気を淀みなく流通させる必要がある。
【０００６】
しかしながら、前出の０．３〜０．５回／時の全般換気量は、例えば、１２畳の居室でいえば気積が約５０ｍ３であるため、１５〜２５ｍ３／ｈの小風量の給気量及び排気量となる。小風量の給排気での気流は微弱となり部屋の空気に淀みが生じ、汚染物質が滞留することが懸念される。また、冬季において外気を給気する場合、小風量とはいえ給気流がコールドドラフトとなって室内の温度分布に不均一が生じ、室内の居住域において空気質、温熱環境が適正に維持できないという課題があった。
【０００７】
これに対し、従来より、室内換気を行う送風装置として、「混合室で混合した内気と外気を給気送風機によって攪拌して室内吹出口から室内へ吹出すように構成すると共に、室内吸込口から給気送風機に至る風路には、当該風路を流れる気流から揮発性有機化合物を吸着又は除去するフィルターを設ける手段を採用」したものが提案されている（例えば、特許文献１参照）。
【０００８】
特許文献１では、内気と外気とを混合してから室内に供給するため、冬季において外気を室内に給気する場合のコールドドラフトを抑制でき、室内温度分布の不均一化の改善に効果的である。
【０００９】
また、室内の温度分布の均一化と汚染物質の滞留防止とを目的とした、多数の天井設置型の送風装置が提案されている。具体的には、送風装置を照明器と一体型又は連結型としたものであり、照明器は室内のほぼ中央に配置されるため、照明器と送風装置とを一体とすることで、循環効率の向上を可能としている。
【００１０】
例えば、特許文献２には、天井面に設けられた引掛けシーリングに取り付けられ、下面に照明器を連結可能な送風装置が開示されている。また、特許文献２には、送風装置の本体内に空気を清浄化する浄化手段を備えた構成が従来技術として開示されている。
【先行技術文献】
【特許文献】
【００１１】
【特許文献１】特開２００６−７１２０５号公報（第３頁〜第５頁、図２）
【特許文献２】特開２００２−１３０１８６号公報（[０００７]、図１、図３）
【発明の概要】
【発明が解決しようとする課題】
【００１２】
特許文献１は、それ単体で使用することを想定した送風装置であり、照明器と連結する点について全く検討されていない。
【００１３】
また、特許文献２には、照明器と連結可能な送風装置について記載されており、また、送風装置本体内に浄化手段を備え、室内環境を改善する点について開示されている。しかしながら、浄化手段には定期的なメンテナンスが求められる点について考慮されておらず、特許文献２では、浄化手段のメンテナンスを行うにあたり、送風装置本体及び照明器を天井から一旦取り外す必要があり、メンテナンス性が悪いという課題があった。
【００１４】
また、省エネルギー化への要請から、換気送風動力、暖冷房負荷を更に低減することのできる送風装置も望まれている。
【００１５】
本発明は、上記のような状況に鑑みてなされたものであり、室内環境の悪化を抑制でき、換気送風動力及び暖冷房負荷の低減が可能で、送風装置本体内に設けた浄化手段のメンテナンスを容易に行うことのできる送風装置及びこの送風装置を備えた居室を提供することを目的とする。
【課題を解決するための手段】
【００１６】
本発明に係る送風装置は、設置面と照明器との間に設けられ、空気取入口及び空気吐出口が形成された送風装置本体と、空気取入口と空気吐出口との間に形成される内部風路に設けられた複数の送風手段と、内部風路に設けられ、空気取入口から取り入れられた空気を清浄化する浄化手段を有する空気清浄ユニットとを備え、複数の送風手段は、一台又は複数台ずつ複数の送風単位に分けられ、送風単位毎に運転及び停止が切替可能であり、空気清浄ユニットは、送風装置本体から設置面と平行な方向に引き出し自在に送風装置本体に支持されているものである。
【発明の効果】
【００１７】
本発明によれば、複数の送風手段により、送風装置本体から吐出される室内空気を部屋の隅々まで行き渡らせることができ、空気の淀みを解消して汚染物質濃度を低下させ、室内の温度を均一化し、送風動力と暖冷房負荷を低減することができる。したがって、室内環境の悪化を抑制でき、省エネルギー化を図ることができる。また、空気清浄ユニットは、送風装置本体から設置面と平行な方向に引き出し自在に送風装置本体に支持されているため、空気清浄ユニットのメンテナンスを容易に行うことができる。
【図面の簡単な説明】
【００１８】
【図１】本発明の実施の形態１に係る送風装置１が設置された居室の側面概要図である。
【図２】本発明の実施の形態１に係る送風装置１が設置された居室の平面概要図である。
【図３】本発明の実施の形態１に係る送風装置１の分解斜視図である。
【図４】本発明の実施の形態１に係る送風装置１の横断面図である。
【図５】図１の空気清浄ユニット２０の斜視図である。
【図６】図５の空気清浄ユニット２０の平行取り出しによるメンテナンス時の分解斜視図である。
【図７】図５の空気清浄ユニット２０の回転取り出しによるメンテナンス時の分解斜視図である。
【図８】図５の空気清浄ユニット２０のメンテナンス時の分解斜視図である。
【図９】図８の曲面状外枠２２に空気清浄手段２４が装着された状態を示す斜視図である。
【図１０】図８の曲面状外枠２２から空気清浄手段２４を取り外した状態を示す分解斜視図である。
【図１１】図８の除菌手段２５を示す斜視図である。
【図１２】図８の除菌手段２５のメンテナンス時の分解斜視図である。
【図１３】図８のオゾンＶＯＣ除去手段２６の取り付け状態の説明図である。
【図１４】図１３のメンテナンス時の分解斜視図である。
【発明を実施するための形態】
【００１９】
本発明の実施の形態１に係る送風装置１、及び居室１００を図面に基づいて詳細に説明する。なお、本実施の形態１により本発明が限定されるものではない。
【００２０】
実施の形態１．
図１は、本発明の実施の形態１に係る送風装置１が設置された居室１００の側面概要図である。図２は、本発明の実施の形態１に係る送風装置１が設置された居室１００の平面概要図である。図１、図２及び後述の図において、同一の符号を付したものは、同一の又はこれに相当するものであり、これは明細書の全文において共通している。
【００２１】
図１、図２に示されるように、居室１００は、屋外１０５と、建物の水周り等の他室１０６との間に設けられた空間である。居室１００と屋外１０５とは、例えば一枚の板を介して仕切られており、居室１００と他室１０６との関係も同様である。本実施の形態１では例えば、居室１００の外壁は、居室１００の天面部を構成する天井面１０１、居室１００の屋外１０５側の側面部の一部を構成する窓面１０４、居室１００の側面部の一部を構成する壁面１０８、及び居室１００の底面部を構成する床面１０９で構成されている。
【００２２】
図１、図２に示されるように、例えば天井面１０１の略中央部には、居室１００内の空気を循環させる送風装置１が設けられている。送風装置１の下面には、居室１００内の照明を行う照明器４０が設置されている。
【００２３】
居室１００や他室１０６を有する建物には全般換気設備（図示せず）が設けられている。居室１００の屋外１０５側の壁面１０８には、全般換気に供する給気口１０２が形成され、屋外１０５と連通している。居室１００の他室１０６側の壁面１０８には、全般換気に供する排気口１０３が形成され、他室１０６と連通している。
【００２４】
居室１００と他室１０６とに連通して設置された全般換気設備により、屋外１０５から全般換気設備に至る空気の流通経路に圧力差を生じさせている。これにより、屋外１０５の空気は、給気口１０２を通って、居室１００内に流入し、排気口１０３を通って他室１０６に排出される。送風装置１は、本体周辺の室内空気を窓面１０４の方向へ吐出し、循環送風を行う。本実施の形態１に係る送風装置１は、室内の空気から汚染物質を除いて循環させ、全般換気と合わせて、有効換気換算量を確保して、建物内の適切な室内環境を維持する。
【００２５】
図３は、本発明の実施の形態１に係る送風装置１の分解斜視図である。図４は、本発明の実施の形態１に係る送風装置１の横断面図である。
【００２６】
図３、図４に示されるように、送風装置１は、送風装置１の外郭を形成する円柱状の送風装置本体３と、送風手段１１と、風向調節手段１３と、空気清浄ユニット２０と、電源ユニット３０とを備えている。送風装置１の下側には、照明器４０が設けられている。送風装置１は、例えば天井面１０１（図１）に固着される取付手段５０を介して天井面１０１に設置され、シーリングローゼット６０を介して給電される。
【００２７】
（概略）
送風装置本体３は、上下両端部が開口した略円筒状の本体枠５と、本体枠５の略中心部に設けられ、上下両端部が開口した略円筒状の内筒７とを有し、本体枠５及び内筒７の上面及び下面は、円板状の取付面３ａ及び照明面３ｂで覆われている。送風装置本体３は、取付面３ａに形成された取付穴（ここでは引掛け穴とする）３ａ１に取付手段５０の取付金具５０ａが係合し、取付面３ａが天井又は壁等の設置面と対向するようにして設置面に取り付けられる。
【００２８】
（吸込みと吐出し）
本体枠５の本体側面３ｃには、送風装置本体３外部の空気を送風装置本体３内部に取り入れる空気取入口８が形成されている。空気取入口８は、本体側面３ｃのほぼ半分の面積を占めるように形成されている。また、本体側面３ｃには、送風装置本体３内部の空気を送風装置本体３外部に吐出する空気吐出口９が形成されている。
【００２９】
空気取入口８及び空気吐出口９は、送風装置本体３の中心を基準として相対して形成されている。空気取入口８及び空気吐出口９により、居室１００（図１）と送風装置本体３内部とが連通する。空気取入口８と空気吐出口９とを結ぶ送風装置本体３内の風路を内部風路１０と称する。
【００３０】
（ボディ）
内筒７内には、電源ユニット３０が配設されており、取付面３ａにおいて内筒７と対向して設けられた開口を介して送風装置本体３外から電源ユニット３０に給電されるようになっている。
【００３１】
（電源ユニット）
電源ユニット３０は、受電手段３０ａと、取付給電手段３０ｂと、本体給電手段３０ｃと、ユニット本体３０ｄとを備えており、これらが一体となってユニット化されている。受電手段３０ａは、ユニット本体３０ｄの上面に設けられ、天井面１０１に配電設置されたシーリングローゼット６０に接続されて給電される。取付給電手段３０ｂは受電手段３０ａからの電力を照明器４０（図１）側へ給電するものであり、ユニット本体３０ｄの下面に設けられている。
【００３２】
ユニット本体３０ｄには、取付給電手段３０ｂの下方に、照明器４０を構成する一要素である照明部材４０ａが取り付けられており、この照明部材４０ａに取付給電手段３０ｂが接続され、受電手段３０ａからの電力が照明器４０（図１）側へ給電される。本体給電手段３０ｃは電源ユニット３０から突出した配線を送風装置本体３の端子台（図示せず）に接続し、受電手段３０ａからの電力を後述の送風手段１１へ給電するものである。このようにして、送風装置１及び照明器４０への給電が行われる。
【００３３】
（送風手段）
送風装置１は、送風装置本体３の内部に複数（ここでは２つ）の送風手段１１を備えている。送風手段１１は、羽根１１ａ、ケーシング１１ｂ、及びモーター１１ｃを備えている。送風手段１１は、空気吐出口９から送風装置本体３の外部に空気を送出するものであり、本実施の形態１では、輻流型の送風機である。複数の送風手段１１は、一台毎又は複数台毎に、運転及び停止を切り替えることができるようになっている。以下、送風手段１１の運転及び停止を切り替える一台又は複数台の単位を送風単位という。
【００３４】
また、送風手段１１は、送風装置本体３の厚み方向（図３の上下方向）にモーター１１ｃの回転軸が延びるように送風装置本体３内に設置される。モーター１１ｃの回転軸を送風装置本体３の厚み方向と直交する方向とすると、送風装置本体３の厚み寸法を羽根１１ａの外径寸法以下にできず、薄型化が困難である。よって、送風装置本体３の厚み方向（図３の上下方向）にモーター１１ｃの回転軸が延びるように送風手段１１を配置することで、送風装置本体３の薄型化を可能としている。なお、本発明は、必ずしも送風装置本体３の厚み方向（図３の上下方向）にモーター１１ｃの回転軸が延びるように送風手段１１を配置することに限定されるものではない。
【００３５】
（ルーバー）
風向調節手段１３は空気の吐出方向を調節する、いわゆるルーバーである。風向調節手段１３は、例えば平板で構成され、その平板面が略水平方向に向くようにして設けられている。風向調節手段１３によって天井汚れを低減することが可能である。
【００３６】
（空気清浄ユニット）
図５は、図１の空気清浄ユニット２０の斜視図である。
空気清浄ユニット２０は、送風装置本体３内に別体で設けられ、空気取入口８から吸い込まれた空気を清浄化するものである。本実施の形態では、空気清浄ユニット２０が２つ設けられている。なお、空気清浄ユニット２０の数は２つに限定するものではない。
【００３７】
空気清浄ユニット２０には、後述するが、定期的なメンテナンスが必要な部材が設けられている。このため、本実施の形態１では、空気清浄ユニット２０のメンテナンスを容易に行える構造を採用している。以下、この構造についてまず説明し、その後、空気清浄ユニット２０に備えられた各浄化手段について順次説明する。なお、本実施の形態１では、空気清浄ユニット２０のメンテナンスを容易に行える構造として、空気清浄ユニット２０を送風装置本体３から天井又は壁等の設置面と平行な方向に取り出し自在の構造としており、以下、具体的な構造例として、２例説明する。
【００３８】
（構造例１）
図６は、図５の空気清浄ユニット２０の平行取り出しによるメンテナンス時の分解斜視図である。
図６に示すように、空気清浄ユニット２０は、送風装置本体３に対して着脱自在に装着可能となっている。また、照明面３ｂ側に照明器４０（図３）が取り付けられたままでも空気清浄ユニット２０を送風装置本体３から着脱できるように、空気清浄ユニット２０を天井又は壁等の設置面と平行な方向に取り出すことができるようになっている。
【００３９】
また、空気清浄ユニット２０には、送風装置本体３に設けられた突起３ｄが嵌合する嵌合穴２１ｅが設けられている。空気清浄ユニット２０が送風装置本体３に収納されている状態では、送風装置本体３の突起３ｄが空気清浄ユニット２０の嵌合穴２１ｅに嵌って送風装置本体３と空気清浄ユニット２０とが固定されている。このため、送風装置本体３に振動等が発生しても、空気清浄ユニット２０が送風装置本体３の側面方向に飛び出すことが無いようになっている。この突起３ｄ及び嵌合穴２１ｅにより本発明の係合手段が構成されている。なお、係合手段の構造及び配置位置は図６に記載のものに限定するものではなく、空気清浄ユニット２０が送風装置本体３に収納された状態で互いに係合して固定できるように構成されていればよい。
【００４０】
また、空気清浄ユニット２０には、空気清浄ユニット２０を送風装置本体３に収納した状態で、送風装置本体３外に露出する部分に引掛部２１ｆが設けられている。この引掛部２１ｆに指を引掛けて空気清浄ユニット２０を送風装置本体３から引き出すことができる。この引掛部２１ｆにより簡単に空気清浄ユニット２０を送風装置本体３から引き出すことができるため、清掃及びメンテナンス性が向上する。なお、引掛部２１ｆの形状は図６に示したように空気清浄ユニット２０の角部に形成した凹部とする形状に限られたものではなく、指を引掛けられる形状であればよい。
【００４１】
（構造例２）
図７は、図５の空気清浄ユニット２０の回転取り出しによるメンテナンス時の分解斜視図である。
空気清浄ユニット２０を、送風装置本体３に対して設置面と平行な方向に回転自在に送風装置本体３に連結する。連結手段は、具体的には、図７に示すように、本体枠５内に取付面３ａ及び照明面３ｂと直交する方向に延びる回転軸３ｅと空気清浄ユニット２０の端部に形成した貫通穴２１ｇとで構成される。そして、貫通穴２１ｇに回転軸３ｅが挿入されることで、空気清浄ユニット２０が回転軸３ｅを中心として回転自在となっている。この構造としたことにより、送風装置本体３の内部に収納された状態の空気清浄ユニット２０を、回転軸３ｅを中心として回転させて送風装置本体３の外部に引き出して露出させることができる。
【００４２】
以上の構造例１、構造例２に示したように、空気清浄ユニット２０は、送風装置本体３から天井又は壁等の設置面と平行な方向に引き出し自在に送風装置本体３に支持されている。これにより、送風装置１が天井等の設置面に設置されたまま、また、照明面３ｂ側に照明器４０（図３）が取り付けられたままでも、空気清浄ユニット２０を清掃及びメンテナンスすることができる。また、図７では、送風装置本体３から空気清浄ユニット２０を取り外すこと無くメンテナンスすることができ、メンテナンス性とメンテナンス時の空気清浄ユニット２０の落下等に対する安全性が向上する。
【００４３】
以下、空気清浄ユニット２０の構成について説明する。
【００４４】
図８は、図５の空気清浄ユニット２０のメンテナンス時の分解斜視図である。以下、図５、図６、前述の図３及び図４を参照して空気清浄ユニット２０について説明する。
空気清浄ユニット２０の筐体は、吸込口２１ａ及び吹出口２１ｂを有する略扇形状の箱体２１と、箱体２１の吸込口２１ａに着脱自在に装着された曲面状外枠２２とを備えている。空気清浄ユニット２０の吸込口２１ａが前述の空気取入口８となっている。そして、曲面状外枠２２に埃捕集手段２３が装着されており、筐体内には、空気清浄ユニット２０を通過する空気の上流側から順に、埃捕集手段２３、空気清浄手段２４、除菌手段２５及びオゾンＶＯＣ除去手段２６が配置されている。そして、箱体２１、曲面状外枠２２、埃捕集手段２３、空気清浄手段２４、除菌手段２５及びオゾンＶＯＣ除去手段２６が一体のユニットとして構成されている。
【００４５】
以下、空気清浄ユニット２０を構成する各構成部材について順に説明する。
【００４６】
（曲面状外枠、埃捕集手段）
図８及び後述の図９を参照して曲面状外枠２２及び曲面状外枠２２に装着された埃捕集手段２３について説明する。
曲面状外枠２２は、短冊状の板材を円弧状に湾曲させた外面部２２ａと、外面部２２ａの下流側から矩形状の枠体が延びて形成された矩形収納部２２ｂとを有している。外面部２２ａの周方向の両端部には、箱体２１に形成された被係合手段（図示せず）に係合される係合手段２２ｃが設けられており、係合手段２２ｃによって曲面状外枠２２が箱体２１に対して着脱自在に装着されている。また、外面部２２ａには空気取入口８に連通する複数の開口部８ａが設けられている。矩形収納部２２ｂの下流側端面には、短手方向に対向する一対の係止片２２ｄが周方向に間隔を空けて複数設けられている。
【００４７】
埃捕集手段２３は、送風装置本体３内部に流入する空気に含まれる埃を捕集するものであり、例えば、ポリエチレンの細糸を４０〜５０メッシュ／平方インチの網目に構成したものである。これにより、０．５ｍｍ以上の埃や虫は、送風装置本体３の内部に侵入する前に埃捕集手段２３で捕捉される。
【００４８】
埃捕集手段２３は、曲面状外枠２２の形状に沿うように横断面が円弧状に形成されている。そして、埃捕集手段２３は、図８及び図５に示すように、その捕集面が外部に露出するように、外面部２２ａに、例えばインサート成形などによって一体に固定されている。埃捕集手段２３は、複数の開口部８ａを覆う大きさに形成されており、開口部８ａから流入した空気が埃捕集手段２３を通過するようになっている。
【００４９】
（埃捕集手段のメンテナンス）
埃捕集手段２３は、送風装置１の外郭側面部に配置される状態となるため、埃や小虫の捕集状態が居住エリアから視認できる。このため、室内清掃時等の日常作業の一環で、掃除機等で、埃捕集手段２３に付着した埃及び虫を清掃除去することが可能であり、室内空気を清浄する性能を維持できる。また、埃捕集手段２３は、送風装置１の外郭側面部に配置される状態となるため、空気清浄ユニット２０が送風装置本体３に収納された状態のままでも、清掃可能である。
【００５０】
また、埃捕集手段２３を曲面状外枠２２と共に箱体２１から取り外し、清掃することも可能である。このように埃捕集手段２３を曲面状外枠２２と共に箱体２１から取り外して清掃することが可能であることにより、清掃及びメンテナンス性を向上することができる。
【００５１】
（空気清浄手段）
図９は、図８の曲面状外枠２２に空気清浄手段２４が装着された状態を示す斜視図である。図１０は、図８の曲面状外枠２２から空気清浄手段２４を取り外した状態を示す分解斜視図である。
空気清浄手段２４は、曲面状外枠２２の矩形収納部２２ｂ内に着脱自在に収納されており、埃捕集手段２３を通過した空気が通過する大きさに形成されている。また、空気清浄手段２４は、曲面状外枠２２を箱体２１から取り外した際に矩形収納部２２ｂから落下しないように係止片２２ｄによって取り外し自在に係止されている。空気清浄手段２４は、曲面状外枠２２と共に箱体２１から容易に取り外し可能であり、更に、図１０に示すように曲面状外枠２２からも取り外し可能である。
【００５２】
空気清浄手段２４は、吸込空気に含まれる、浮遊微粒子の除去を行う機能を有するものである。空気清浄手段２４により花粉及び埃等の１０μｍ以上の粒子が捕集される。空気清浄手段２４は例えば、セルロースに活性炭を混抄した混抄紙に人工酵素を添着した濾材を、圧損の少ない２３０メッシュ／平方インチ程のコルゲートハニカム構造に成形したもの、不織布での構成された面状濾材を折り返してプリーツ構造にしたものが用いられている。空気清浄手段２４により、室内の埃、花粉等のアレルギー物質を除去することにより、居住者の花粉症等のアレルギー症状の発生を低減することができる。
【００５３】
（空気清浄手段のメンテナンス）
上述したように、空気清浄手段２４は、曲面状外枠２２と共に箱体２１から容易に取り外し可能であり、更に、図１０に示すように曲面状外枠２２からも取り外し可能である。このため、空気清浄手段２４の清掃及びメンテナンスすることが可能であり、清掃及びメンテナンス性を向上することができる。また、空気清浄手段２４の交換も容易に行うことができる。
【００５４】
（除菌手段）
図１１は、図８の除菌手段２５を示す斜視図である。図１２は、図８の除菌手段２５のメンテナンス時の分解斜視図である。
除菌手段２５は、放電、電界空間発生装置により除菌を行う手段であり、電源部２５ａと電極部２５ｂとを備えている。電源部２５ａを有する筐体２５ｃは、電極部２５ｂの後述の電極部本体２５ｈを収納する収納部２５ｄを有している。収納部２５ｄには、収納部２５ｄに収納された電極部２５ｂ側に延びる一対の保持片２５ｅが形成されており、この一対の保持片２５ｅにより電極部２５ｂの電極部本体２５ｈが収納部２５ｄ内に着脱自在に保持されている。収納部２５ｄには、電極部２５ｂを通過した空気が通過する開口部２５ｊが設けられている。また、筐体２５ｃにはネジ穴２５ｆが設けられ、ネジ（図示せず）により空気清浄ユニット２０の箱体２１にネジ留めされている。
【００５５】
電極部２５ｂは、複数個の電極（図示せず）と、この複数個の電極に空気が通過するように形成された開口部２５ｇとを有する電極部本体２５ｈを有している。電極部本体２５ｈには、取手部２５ｉが一体に形成されており、この取手部２５ｉを掴み、埃捕集手段２３と同様に、取付面３ａと平行な方向に引き出して送風装置本体３から容易に取り出すことが可能となっている。
【００５６】
電極部２５ｂは、電極部本体２５ｈが収納部２５ｄに収納されることにより、電源部２５ａ内に配線された電源線と電気的に接続され、本体給電手段３０ｃからの電力が電源部２５ａを介して電極部本体２５ｈの複数個の電極（図示せず）に印加されるようになっている。このように複数個の電極間に所定電圧が印加されることにより、空気の除菌を行うことができる。すなわち、開口部２５ｇを通過する空気に含まれる、細菌、カビ、ウィルス等を、強電界と電流によって内部破壊させ、除去・不活性化することができる。このように除菌手段２５を設けることにより、室内空気に含まれるウィルス等の細菌を不活性化することができ、居住者同士がインフルエンザ等のウィルスに飛沫感染する確率を低減することができる。
【００５７】
電極部２５ｂにおいて除菌面となる電極部本体２５ｈの露出面は、箱体２１の底面２１ｃ（図８参照）に対して傾斜して配置されている。つまり、空気清浄ユニット２０の厚み方向（図３の上下方向）に対して傾斜して配置されている。このように配置することで、電極部本体２５ｈの露出面を、空気清浄ユニット２０の厚み方向（図３の上下方向）に沿う方向に配置する場合に比べて空気清浄ユニット２０の厚みを低減することが可能である。よって、送風装置本体３の厚み方向の寸法を低減しコンパクト化することができ、送風装置本体３の意匠性を向上することができる。
【００５８】
また、除菌手段２５を放電、電界空間発生装置とすることにより、年１回程度の清掃にて、除菌機能を継続的に得ることができる。
【００５９】
（除菌手段のメンテナンス）
除菌手段２５のメンテナンスの際には、空気清浄ユニット２０を送風装置本体３から引き出した後、空気清浄ユニット２０の曲面状外枠２２を箱体２１から取り外し、除菌手段２５の取手部２５ｉを掴んで除菌手段２５を箱体２１の外に引き出す。これにより、除菌手段２５を容易に天井下から取り出すことができ、除菌手段２５をメンテナンス及び清掃することができ、清掃、メンテナンス性が向上する。
【００６０】
また、空気清浄ユニット２０が送風装置本体３に挿入された状態、又は送風装置本体３から部分的に引き出された状態においても同様に、空気清浄ユニット２０の曲面状外枠２２を箱体２１から取り外し、除菌手段２５の取手部２５ｉを掴んで天井又は壁等の設置面と平行な方向に引き出すことができる。これにより、除菌手段２５を容易に天井下から取り出すことができ、除菌手段２５を清掃及びメンテナンスすることができ、清掃、メンテナンス性が向上する。
【００６１】
また、空気清浄ユニット２０の箱体２１の下面（照明器側の面）には、除菌手段２５の取手部２５ｉと対向する位置に切欠き２１ｄ（図８参照）が設けられている。切欠き２１ｄは箱体２１の外部から切欠き２１ｄを介して取手部２５ｉを掴むことが可能な大きさに形成されている。つまり、空気清浄ユニット２０の下面側から切欠き２１ｄを介して除菌手段２５の取手部２５ｉを掴むことが可能な構造となっている。この構造により、除菌手段２５を箱体２１から取り出すに際し、空気清浄ユニット２０の下面側から除菌手段２５の取手部２５ｉを掴むことができるため、除菌手段２５の脱着が行い易く、清掃及びメンテナンス性が向上する。
【００６２】
また、除菌手段２５では、電極部２５ｂのみが送風装置本体３から着脱可能であるため、定期的に清掃が必要となる電極部２５ｂのみを容易に取り外して清掃することが可能であり、清掃メンテナンス性が向上する。
【００６３】
（オゾンＶＯＣ除去手段）
図１３は、図８のオゾンＶＯＣ除去手段２６の取り付け状態の説明図で、空気清浄ユニット２０を吹出口２１ｂ側から見た斜視図である。図１４は、図１３のメンテナンス時の分解斜視図である。
オゾンＶＯＣ除去手段２６は、除菌手段２５から発生するオゾンを除去することができるものである。また、吸込空気に含まれる揮発性有機化合物（ＶＯＣ）を捕集することもできる。オゾンＶＯＣ除去手段２６を設けることにより、室内空気に含まれるＶＯＣを除去することができ、有効換気換算量を増加させ、その増加分の全般換気量を削減することにより暖冷房負荷を低減することができる。また、空気清浄ユニット２０内で発生したオゾンを除去することができ、人体に毒性のあるオゾンを室内に放出するのを防ぐことができる。
【００６４】
（オゾンＶＯＣ除去手段のメンテナンス）
オゾンＶＯＣ除去手段２６は、箱体２１に設けられた箱状収納部２１ｈに着脱自在に係合されており、箱状収納部２１ｈの取出開口２１ｉから、図１４に示すように引き出して取り外し、清掃及びメンテナンスすることが可能である。また、取出開口２１ｉにはオゾンＶＯＣ除去手段２６の一部、好ましくは角部を箱体２１外に露出する切欠き２１ｊが設けられており、切欠き２１ｊよりオゾンＶＯＣ除去手段２６を掴み、引き出すことが可能である。これにより、空気清浄ユニット２０を送風装置１から引き出せば、オゾンＶＯＣ除去手段２６を容易に取り外すことが可能であり、清掃及びメンテナンス性が向上する。
【００６５】
（空気清浄ユニットの動作）
以上のように構成された空気清浄ユニット２０においては、送風手段１１が駆動すると、居室１００の空気が、埃捕集手段２３、空気清浄手段２４、除菌手段２５、オゾンＶＯＣ除去手段２６の順で空気清浄ユニット２０内を通過し、清浄化される。
【００６６】
なお、空気清浄ユニット２０において空気を清浄化するための各浄化手段２３〜２６を前記のような順に配置することにより、室内空気に含まれる汚染物質の大きな物から順に上流側で除去することができる。このため、下流側に配置された除菌手段２５、オゾンＶＯＣ除去手段２６のメンテナンス回数を低減することができる。なお、空気を清浄化するための浄化手段２３〜２６の配置順は上記の順に限定するものではなく任意に選択可能であり、用途に応じて選択し空気清浄ユニット２０の空気清浄能力を選択することが可能である。また、本発明は浄化手段として各浄化手段２３〜２６の全てを備える構成に限定されず、１又は複数を組み合わせて備えた構成としてもよい。すなわち、送風装置１を使用する使用者の用途に応じて、空気清浄ユニット２０の空気清浄機能をカスタマイズすることができる。
【００６７】
次に、有効換気換算量について説明する。有効換気換算量は、揮発性有機化合物の捕集効率と送風手段１１の送風風量とに基づいて、以下の式（１）により算出される。
毎時有効換気換算量＝毎時送風風量×揮発性有機化合物捕集効率    ・・・（１）
【００６８】
式（１）における、揮発性有機化合物捕集効率は、次の式（２）で表される。
揮発性有機化合物捕集効率＝（空気清浄手段の上流の濃度Ｃ−空気清浄手段の下流の濃度Ｃｐ）÷空気清浄手段の上流の濃度Ｃ                            ・・・（２）
【００６９】
すなわち、有効換気換算量が既定の値で規制されている場合、揮発性有機化合物の捕集効率が高位となれば送風風量を減ずることができる。更に、有効換気換算量が居室１００の全般換気における必要換気量以上の値となれば、全般換気は不要となり、換気設備を設備する必要がなく、暖冷房費、機器施工費を削減することもできる。
【００７０】
すなわち、送風装置１における送風手段１１の毎時送風風量とオゾンＶＯＣ除去手段２６の揮発性有機化合物の捕集効率との積である有効換気換算量が、送風装置１が設置される居室１００の気積の５０％以上であれば、建築基準法のシックハウス対策で求められる毎時０．５回以上の居室１００全般換気量を満足することができる。
【００７１】
（送風装置の説明）
以下に、送風装置１の作用を説明する。
送風手段１１が動作すると、空気が空気取入口８から送風装置本体３に流入し、空気清浄ユニット２０で浄化された後、運転されている送風手段１１を通って、空気吐出口９から送風装置１の外部に向かって吐出される。送風手段１１は送風装置本体３の取付面３ａ側（天井面側）ではなく、照明面３ｂ側に設置されている。このため、天井面１０１から空気吐出口９を遠ざけることができ、埃による天井汚れを低減させることができる。
【００７２】
また、本実施の形態１に係る送風装置１は、一台又は複数台ずつ複数の送風単位に分けられ、送風単位毎に運転及び停止が切替可能である複数の送風手段１１を備えている。このため、小風量運転時には一部の送風単位を運転又は停止させることで、風量の増減を制御できる。このため、小風量運転時に一部の送風単位が運転を停止しても、空気吐出口９から送風装置本体３の外部に吐出される空気の速度が確保される。したがって、送風装置本体３から吐出される室内空気を部屋の隅々まで行き渡らせることにより空気の淀みを解消して汚染物質濃度を低下させ、室内の温度分布を均一化し、送風動力と暖冷房負荷を低減することができる。このように、一台又は複数台の送風単位で動作可能な複数の送風手段１１を備えているため、室内環境の悪化が抑制される。
【００７３】
また、本実施の形態１に係る送風装置１は、天井から吊り下げられた照明器４０の天井側に連結される。つまり、照明器４０は通常、居室１００のほぼ中央に設けられるため、送風装置１も、居室１００のほぼ中央の天井付近に設けられることになる。このため、空気取入口８及び空気吐出口９から流入出する空気は、循環流路１０７で流通し、天井面１０１、壁面１０８、床面１０９に沿って居室１００全体の空気を循環させる。よって、冬季において、居住者に気流感を感じさせることなく、部屋全体の空気循環により空気質、温熱環境の不均一を抑制できる。
【００７４】
更に、壁面１０８に形成された給気口１０２からの外気流入、及び、窓面１０４の伝熱に起因する室内空気のコールドドラフトも天井面１０１近傍の暖気を壁面１０８、給気口１０２、窓面１０４に沿わせて流通させることで軽減することができ、肌寒さ感や結露の発生を抑制できる。
【００７５】
（効果）
以上のように、本実施の形態１に係る送風装置１及び居室１００は、居室１００からの排気と居室１００への給気を常時（２４時間）機能させる全般換気の省エネルギー化を行う。そして、送風装置１は、一台又は複数台ずつ複数の送風単位に分けられ、送風単位毎に運転及び停止が切替可能である複数の送風手段１１を備えている。このため、上述したように、全般換気における小風量換気時において、送風装置本体３内部から吐出された空気を部屋の隅々まで行き渡らせることにより空気の淀みを解消し、汚染物質濃度を低下させ、室内の温度分布を均一化し、送風動力と暖冷房負荷を低減することができる。
【００７６】
また、空気清浄ユニット２０が、送風装置本体３から平行な方向に引き出し自在に送風装置本体３に支持される構造としたため、空気清浄ユニット２０を送風装置本体３から引き出す際に、送風装置１及び照明器４０を天井面１０１から取り外す必要がない。このため、空気清浄ユニット２０を容易にメンテナンスすることができ、清掃及びメンテナンス性が向上する。
【００７７】
また、空気清浄ユニット２０を、連結手段（回転軸３ｅ、貫通穴２１ｇ）により設置面と平行な方向に回動自在に送風装置本体３に連結するようにしたので、空気清浄ユニット２０を回転引き出して内部を露わにし、清掃及びメンテナンスできる。また、空気清浄ユニット２０を送風装置本体３から取り外さずに連結したままメンテナンスすることができるため、メンテナンス性とメンテナンス時の空気清浄ユニット２０の落下等に対する安全性とが向上する。
【００７８】
また、空気清浄ユニット２０及び送風装置本体３に、空気清浄ユニット２０が送風装置本体３に収納された状態で互いに係合して固定する係合手段（突起３ｄ、嵌合穴２１ｅ）を設けたので、送風装置本体３に振動等が発生した場合でも空気清浄ユニット２０が送風装置本体３から外れることがないようにすることができる。
【００７９】
また、空気清浄ユニット２０に、空気清浄ユニット２０を送風装置本体３内に収納した状態で送風装置本体３外から指を引掛けられる引掛部２１ｆを設けたので、清掃及びメンテナンスの際に引掛部２１ｆに指を引掛けて空気清浄ユニット２０を引き出すことができる。よって、容易にメンテナンスを行うことができ、清掃及びメンテナンス性が向上する。
【００８０】
また、空気清浄ユニット２０に、空気取入口８から取り入れられた空気に含まれる埃を捕集する埃捕集手段２３を設けたので、室内空気の埃を捕集し、清浄化することができる。
【００８１】
また、空気清浄ユニット２０に、空気取入口８から取り入れられた空気に含まれる浮遊微粒子を捕集する空気清浄手段２４を設けたので、室内の埃、花粉等のアレルギー物質を除去することできる。このため、居住者の花粉症等のアレルギー症状の発生を低減することができる。
【００８２】
また、空気清浄ユニット２０に、空気の除菌を行う除菌手段２５を設けたので、室内空気に含まれるウィルス等の細菌を不活性化することができ、居住者同士がインフルエンザ等のウィルスに飛沫感染する確立を低減することができる。
【００８３】
また、空気清浄ユニット２０に、オゾン除去と揮発性有機化合物の捕集とを行うオゾンＶＯＣ除去手段２６を設けたので、室内空気に含まれるＶＯＣを除去することができ、有効換気換算量を増加させ、その増加分の全般換気量を削減することにより送風動力と暖冷房負荷を低減することができる。よって、省エネルギー化を図ることができる。また、空気清浄ユニット２０内で発生したオゾンを除去することができ、人体に毒性のあるオゾンを室内に放出するのを防ぐことができる。また、建物改修時のシックハウス対策を容易に行うことができる。
【００８４】
また、空気清浄ユニット２０に、埃捕集手段２３、空気清浄手段２４、除菌手段２５及びオゾンＶＯＣ除去手段２６のうちの複数を備えることにより、送風装置１を使用する使用者の用途に応じて空気清浄機能をカスタマイズした空気清浄ユニット２０を構成できる。
【００８５】
また、空気取入口８から取り入れられた空気の上流側から順に埃捕集手段２３、空気清浄手段２４、除菌手段２５及びオゾンＶＯＣ除去手段２６を備えたので、室内空気に含まれる汚染物質の大きな物から順に上流側で除去することができる。このため、下流側に配置された除菌手段２５、オゾンＶＯＣ除去手段２６のメンテナンス回数を低減することができる。
【００８６】
また、埃捕集手段２３は、その捕集面が外部に露出するように空気清浄ユニット２０の曲面状外枠２２に固定されているので、清掃メンテナンス時には、曲面状外枠２２が空気清浄ユニット２０の箱体２１に設置された状態のまま、埃捕集手段２３を清掃できる。又は、埃捕集手段２３を曲面状外枠２２と共に空気清浄ユニット２０の箱体２１から取り外して清掃することもできる。これにより、埃捕集手段２３の清掃及びメンテナンス性を向上することができる。
【００８７】
また、空気清浄手段２４は、曲面状外枠２２に設けられた矩形収納部２２ｂに着脱自在に収納されているので、清掃メンテナンス時には、曲面状外枠２２と共に容易に取り外して清掃することが可能であり、清掃及びメンテナンス性を向上することができる。
【００８８】
また、除菌手段２５の除菌面となる電極部２５ｂを有する電極部本体２５ｈが、送風装置本体３に着脱自在に保持されており、送風装置本体３から設置面と平行な方向に引き出し自在であるので、以下の効果を有する。すなわち、清掃及びメンテナンス時には送風装置本体３の設置面と平行な方向に電極部２５ｂを取り出して、清掃及びメンテナンスすることが可能である。これにより、空気清浄ユニット２０が送風装置本体３に挿入された状態、もしくは部分的に引き出された状態であっても、送風装置本体３側面から電極部２５ｂを取り外し、メンテナンスすることが可能であり、清掃及びメンテナンス性が向上する。
【００８９】
また、除菌手段２５は、その除菌面となる電極部本体２５ｈの露出面が、空気清浄ユニット２０の厚み方向に対して傾斜するように空気清浄ユニット２０に配置されているので、空気清浄ユニット２０の厚みを低減することが可能である。よって、送風装置１の厚み方向の寸法を低減することができ、コンパクト化が可能で、送風装置１の意匠性を向上することができる。
【００９０】
また、除菌手段２５を放電、電界空間発生装置とすることにより、１回／年程度の清掃にて、除菌機能を継続的に得ることができる。
【００９１】
また、放電、電界空間発生装置を電源部２５ａ、電極部２５ｂを備えた構成とし、電極部２５ｂのみが箱体２１から着脱可能としたので、定期的に清掃が必要となる電極部２５ｂのみを容易に取り外して清掃することが可能であり、清掃メンテナンス性が向上する。
【００９２】
また、除菌手段２５は取手部２５ｉを有し、空気清浄ユニット２０の箱体２１において照明器４０側の面には取手部２５ｉと対向して切欠き２１ｄが設けられており、切欠き２１ｄは、箱体２１から切欠き２１ｄを介して取手部２５ｉを掴むことが可能な大きさに形成されている。このため、空気清浄ユニット２０の外部から（図８では下面側から）除菌手段２５の取手部２５ｉを掴み、箱体２１外へ取り外すことが可能である。よって、除菌手段２５の脱着が行い易く、清掃及びメンテナンス性が向上する。
【００９３】
また、オゾンＶＯＣ除去手段２６は空気清浄ユニット２０に着脱自在に収納されている。このため、空気清浄ユニット２０から取り外し、清掃及びメンテナンスすることが可能である。よって、空気清浄ユニット２０を送風装置本体３から引き出せば、オゾンＶＯＣ除去手段２６を容易に取り外すことが可能であり、オゾンＶＯＣ除去手段２６の清掃及びメンテナンス性が向上する。
【００９４】
また、空気清浄ユニット２０の箱体２１は、オゾンＶＯＣ除去手段２６の一部を箱体２１外に露出する切欠き２１ｊを有していることにより、この切欠き２１ｊを介して箱体２１外部からオゾンＶＯＣ除去手段２６を掴むことができる。特に、図１４に示すようにオゾンＶＯＣ除去手段２６の角部を箱体２１外に露出するように切欠き２１ｊを設けた場合、箱体２１外部からオゾンＶＯＣ除去手段２６を容易に掴むことができる。このようにすることで、オゾンＶＯＣ除去手段２６を掴んで箱体２１外に取り外すことができるため、オゾンＶＯＣ除去手段２６の清掃及びメンテナンス性を向上することができる。
【００９５】
また、本実施の形態１に係る居室１００は、内部で送風装置１が運転されるため、居室１００内の空気に含まれる汚染物質が除かれ、汚染物質が除かれた空気が循環する。
【００９６】
また、本実施の形態１に係る居室１００は、送風装置１の運転により汚染物質が除去されるため、有効換気換算量を増加させることができ、その増加分の全般換気量を低減することができる。また、有効換気換算量が居室１００の全般換気における必要換気量以上の値となれば、全般換気装置による全般換気は不要となるため、送風装置１を運転させるだけでよい。送風装置１のみ運転させる場合には、全般換気設備を設置する必要がないため、暖冷房費、機器施工費を削減することができる。
【００９７】
（サイズ小化）
また、本実施の形態１に係る送風装置１は、必要な送風量を実現するにあたり１つの送風手段１１で実現するのではなく、複数の送風手段１１で実現するようにしている。このため、１つの送風手段とする場合に比べて複数の送風手段１１のそれぞれのサイズを小さく構成することができ、送風装置本体３を薄型化することができる。
【００９８】
（流速低減）
また、本実施の形態１に係る送風装置１は、空気清浄ユニット２０が、送風装置本体３の本体側面３ｃのほぼ半分の面積を占めて多面に亘って配設される構成となっている。このため、空気流通面積が大きくなり、吸込流速が低減される。したがって、空気吐出口９から送風装置１の外部に吐出された空気が直接、空気取入口８に吸い込まれるショートサーキットの発生が抑制され、送風手段１１にかかる圧力損失が抑制され、送風手段１１の消費電力が低減される。また、オゾンＶＯＣ除去手段２６における揮発性有機化合物の捕集効率は、流通速度が低いほど高位になる傾向があるため、本実施の形態１のように、吸込流速が低減された場合には捕集効率が高位となる。
【００９９】
（振動抑制）
また、本実施の形態１に係る送風装置１は、送風手段１１が、羽根１１ａ、ケーシング１１ｂ、及びモーター１１ｃで構成された複数個の輻流型の送風機を備えている。このため、回転体の振動を微小に抑制して分散させることができる。したがって、送風装置１の振動による騒音の発生が抑制され、送風装置１の下面に取付けられた照明器４０のチラツキ等の不具合を抑制でき、室内空間の視聴覚環境を改善することができる。
【０１００】
（充電部安全）
また、本実施の形態１に係る送風装置１は、送風装置１及び照明器４０に給電を行うための電源ユニット３０が内筒７内に配設されている。内筒７内は、空気吐出口９から吐出された空気が循環して空気取入口８から送風装置１の内部に流入する風路から隔絶されている。よって、この内筒７に電源ユニット３０を配設することにより、室内を流通する空気に含まれる微細な塵や湿気が、電源ユニット３０の電装部品（受電手段３０ａ、取付給電手段３０ｂ）の充電部に堆積して電源のトラッキングやショートなどの不具合を起こすことが抑制される。このため、送風装置１の安全が確保されると共に送風装置１及び照明器４０の取付工事が容易になる。
【０１０１】
（薄形デザイン）
また、本実施の形態１に係る送風装置１は、上述したように送風装置本体３が薄型化されるため、送風装置１の下面に設けられる照明器４０が室内へ突出することも抑制される。したがって、室内空間の視覚環境を改善することができる。
【符号の説明】
【０１０２】
１  送風装置、３  送風装置本体、３ａ  取付面、３ａ１  取付穴、３ｂ  照明面、３ｃ  本体側面、３ｄ  突起、３ｅ  回転軸、５  本体枠、７  内筒、８  空気取入口、８ａ  開口部、９  空気吐出口、１０  内部風路、１１  送風手段、１１ａ  羽根、１１ｂ  ケーシング、１１ｃ  モーター、１３  風向調節手段、２０  空気清浄ユニット、２１  箱体、２１ａ  吸込口、２１ｂ  吹出口、２１ｃ  底面、２１ｄ  切欠き、２１ｅ  嵌合穴、２１ｆ  引掛部、２１ｇ  貫通穴、２１ｈ  箱状収納部、２１ｉ  取出開口、２１ｊ  切欠き、２２  曲面状外枠、２２ａ  外面部、２２ｂ  矩形収納部、２２ｃ  係合手段、２２ｄ  係止片、２３  埃捕集手段、２４  空気清浄手段、２５  除菌手段、２５ａ  電源部、２５ｂ  電極部、２５ｃ  筐体、２５ｄ  収納部、２５ｅ  保持片、２５ｆ  ネジ穴、２５ｇ  開口部、２５ｈ  電極部本体、２５ｉ  取手部、２５ｊ  開口部、２６  オゾンＶＯＣ除去手段、３０  電源ユニット、３０ａ  受電手段、３０ｂ  取付給電手段、３０ｃ  本体給電手段、３０ｄ  ユニット本体、４０  照明器、４０ａ  照明部材、５０  取付手段、５０ａ  取付金具、６０  シーリングローゼット、１００  居室、１０１  天井面、１０２  給気口、１０３  排気口、１０４  窓面、１０５  屋外、１０６  他室、１０７  循環流路、１０８  壁面、１０９  床面。
【図１】
2014152975.tif 000003
【図２】
2014152975.tif 000004
【図３】
2014152975.tif 000005
【図４】
2014152975.tif 000006
【図５】
2014152975.tif 000007
【図６】
2014152975.tif 000008
【図７】
2014152975.tif 000009
【図８】
2014152975.tif 000010
【図９】
2014152975.tif 000011
【図１０】
2014152975.tif 000012
【図１１】
2014152975.tif 000013
【図１２】
2014152975.tif 000014
【図１３】
2014152975.tif 000015
【図１４】
2014152975.tif 000016